(57)【要約】【課題】  今後の端末までの光化時代向けて、宅内の光ファイバ配線をユーザ自身で、安全かつ確実に行うための、ＵＶ被覆付き光ファイバ素線の切断工具を提供する。【解決手段】  ＵＶ被覆、一次被覆、クラッド、コアからなる光ファイバ素線１０１の長手方向の任意の位置に、長手方向に対して直角の方向から、前記光ファイバ素線１０１のＵＶ被覆と一次被覆とクラッドとに傷を付けるカッター１３と、前記光ファイバ素線１０１の傷を含む部分を曲げて、曲げによる引張り力により前記光ファイバ素線１０１を切断する圧力吸収板２４とを有する。【選択図】  図２
2005031565.tif 000002
【特許請求の範囲】
【請求項１】
ＵＶ被覆、一次被覆、クラッド、コアからなる光ファイバ素線（１０１）の長手方向の任意の位置に、長手方向に対して直角の方向から、前記光ファイバ素線（１０１）のＵＶ被覆と一次被覆とクラッドとに傷を付けるカッター（１３）と、
前記光ファイバ素線（１０１）の傷を含む部分を曲げて、曲げによる引張り力により前記光ファイバ素線（１０１）を切断する曲げ手段と、
を有することを特徴とするＵＶ被覆付き光ファイバ素線の切断工具。
【請求項２】
ＵＶ被覆、一次被覆、クラッド、コアからなる光ファイバ素線（１０１）の長手方向の任意の位置に、長手方向に対して直角の方向から、前記光ファイバ素線（１０１）のＵＶ被覆と一次被覆とクラッドとに、同時に傷を付けるカッター（１３）と、
前記光ファイバ素線（１０１）の長手方向に、前記光ファイバ素線（１０１）の傷を含む部分を固定する把持部（１１、１２）と、
前記光ファイバ素線（１０１）に傷が入り過ぎないように、前記カッター（１３）の圧力を吸収し、かつ、前記把持部（１１、１２）で固定された前記光ファイバ素線（１０１）の傷を含む部分に曲げ力を与える圧力吸収板（２４）と、
を有することを特徴とするＵＶ被覆付き光ファイバ素線の切断工具。
【請求項３】
ＵＶ被覆、一次被覆、クラッド、コアからなる光ファイバ素線（１０１）の長手方向の任意の位置に、長手方向に対して直角の方向から、前記光ファイバ素線（１０１）のＵＶ被覆と一次被覆とクラッドとに、同時に傷を付けるカッター（１３）と、
前記カッター（１３）により前記光ファイバ素線（１０１）に傷が入り過ぎないように、前記カッター（１３）の刃の圧力を可変する圧力手段（１４）と、
前記光ファイバ素線（１０１）の長手方向に、前記光ファイバ素線（１０１）の傷を含む部分を固定する把持部（１１、１２）と、
前記把持部（１１、１２）で固定された前記光ファイバ素線（１０１）の傷を含む部分に、曲げ力を与える曲げ板（２５）と、
を有することを特徴とするＵＶ被覆付き光ファイバ素線の切断工具。
【請求項４】
前記光ファイバ素線（１０１）の切断により発生する光ファイバ屑（１０１Ａ）を収納する収納部（２３Ａ）を有することを特徴とする請求項１〜３のいずれか１項に記載のＵＶ被覆付き光ファイバ素線の切断工具。
【発明の詳細な説明】
【技術分野】
【０００１】
本発明は、主に住宅内に光ファイバケーブルを配線する際に、この配線により生じる接続工程で用いられる、ＵＶ被覆付き光ファイバ素線の切断工具に関する。
【背景技術】
【０００２】
従来、光ファイバの切断には、光ファイバカッターが使用されている。光ファイバカッターは、ＵＶ被覆（紫外線硬化被覆）等のコーティングをストリッパで剥ぎ取った後、クラッド部分にダイヤモンド等の刃で傷を付けて切断する工具である。また、光ケーブル接続技術は、電話局から顧客の宅内までに用いられる接続技術を、そのまま利用する形態がとられている。
【０００３】
一方、メタルケーブルでは、施工技術の簡素化並びにジャック式ローゼットまでの先行配線等により、ユーザ自身で電話機を接続することができる。少し技術内容に詳しい顧客であれば、自宅にある工具で、簡単に開通工事や故障切り分け等を行うことができる。
【０００４】
しかし、光ファイバの施工技術では、特別な技能を持った作業者が特殊な工具を用いて施工を行う必要があるため、ユーザ自身で施工を行うことができない。特に、接続作業では、素線接続を行うために、ＵＶ被覆の剥ぎ取り、アルコールによる清掃、決められた長さでの切断、特殊工具での接続といった一連の複雑な作業がある。この作業については、下記の非特許文献に記載されている。
【非特許文献１】「光ファイバ施工技術」  株式会社オプトロニクス社  Ｐ９８〜１２２  融着接続技術
【発明の開示】
【発明が解決しようとする課題】
【０００５】
光ファイバの施工技術には、次のような問題点がある。つまり、ＵＶ被覆除去後の光ファイバは透明で見づらく、切断屑を見失うと皮膚に刺さるといった面もあることから、ユーザ自身が簡単かつ安全に行える作業ではない。
【０００６】
本発明は、前記の課題を解決し、今後の端末までの光化時代向けて、宅内の光ファイバ配線をユーザ自身で、安全かつ確実に行うための、ＵＶ被覆付き光ファイバ素線の切断工具を提供することにある。
【課題を解決するための手段】
【０００７】
前記課題を解決するために、請求項１の発明は、ＵＶ被覆、一次被覆、クラッド、コアからなる光ファイバ素線の長手方向の任意の位置に、長手方向に対して直角の方向から、前記光ファイバ素線のＵＶ被覆と一次被覆とクラッドとに傷を付けるカッターと、前記光ファイバ素線の傷を含む部分を曲げて、曲げによる引張り力により前記光ファイバ素線を切断する曲げ手段とを有することを特徴とするＵＶ被覆付き光ファイバ素線の切断工具である。
請求項２の発明は、ＵＶ被覆、一次被覆、クラッド、コアからなる光ファイバ素線の長手方向の任意の位置に、長手方向に対して直角の方向から、前記光ファイバ素線のＵＶ被覆と一次被覆とクラッドとに、同時に傷を付けるカッターと、前記光ファイバ素線の長手方向に、前記光ファイバ素線の傷を含む部分を固定する把持部と、
前記光ファイバ素線に傷が入り過ぎないように、前記カッターの圧力を吸収し、かつ、前記把持部で固定された前記光ファイバ素線の傷を含む部分に曲げ力を与える圧力吸収板とを有することを特徴とするＵＶ被覆付き光ファイバ素線の切断工具である。
請求項３の発明は、ＵＶ被覆、一次被覆、クラッド、コアからなる光ファイバ素線の長手方向の任意の位置に、長手方向に対して直角の方向から、前記光ファイバ素線のＵＶ被覆と一次被覆とクラッドとに、同時に傷を付けるカッターと、前記カッターにより前記光ファイバ素線に傷が入り過ぎないように、前記カッターの刃の圧力を可変する圧力手段と、前記光ファイバ素線の長手方向に、前記光ファイバ素線の傷を含む部分を固定する把持部と、前記把持部で固定された前記光ファイバ素線の傷を含む部分に、曲げ力を与える曲げ板とを有することを特徴とするＵＶ被覆付き光ファイバ素線の切断工具である。
請求項４の発明は、請求項１〜３のいずれか１項に記載のＵＶ被覆付き光ファイバ素線の切断工具において、前記光ファイバ素線の切断により発生する光ファイバ屑を収納する収納部を有することを特徴とする。
【０００８】
この発明によれば、光ファイバが宅内に配線される時代にユーザ自身で光ファイバを配線し、光ファイバの接続を簡単かつ安全に行うことができ、光ＬＡＮ構築やメタルケーブルレベルの開通工事や故障切り分けを、ユーザ自身で行うことにより、開通期間の短縮、故障復旧時間の短縮、通信事業者の無派遣工事の拡大が図れる。
【発明の効果】
【０００９】
本発明は、主に住宅内に光ファイバケーブルを配線する際に生じる接続工程で、光ファイバ素線をＵＶ被覆付の状態で切断し、その切断面の状態で接続できることから、簡単かつ安全に作業を行うことができる。また、この発明によれば、次の効果がある。
（あ）  ユーザ自身で光ファイバの接続を簡単かつ確実に行うことができる。
（い）  前記の（あ）により光ＬＡＮ配線をユーザ自身で構築することができる。
（う）  光ファイバ屑を紛失することなく安全に作業できる。
【発明を実施するための最良の形態】
【００１０】
つぎに、本発明を実施するための形態について説明する。
［実施形態１］
本実施形態によるＵＶ被覆付き光ファイバ素線の切断工具を図１と図２に示す。図１は、ＵＶ被覆付き光ファイバ素線の切断工具の外観を示す斜視図であり、図２は、図１の内部構造を説明するための断面図である。なお、図２では、図示を簡略化するために、図１のＵＶ被覆付き光ファイバ素線の切断工具を２つの部分に分けた状態を示してある。本実施形態で切断する光ファイバ素線は、コアと、コアの外側に形成されているクラッドと、クラッドを覆う一次被覆およびＵＶ被覆とで構成されている。
【００１１】
本実施形態によるＵＶ被覆付き光ファイバ素線の切断工具は、基体１と押圧体２とを備えている。押圧体２は、支軸３を中心に押圧体２が動くように、基体１に支軸３で支持されている。
【００１２】
基体１は直方体形状をした板である。基体１の一端部には、基体１の長手方向に対して直角に、所定の間隔に並んで、素線把持部１１、１２が設けられている。素線把持部１１、１２は、光ファイバ素線を把持する。素線把持部１１と素線把持部１２との中間位置には、カッター１３が取り付けられている。カッター１３は、光ファイバ素線に傷を付ける鋭利な刃物である。
【００１３】
押圧体２は、直方体形状をした箱である。押圧体２は、基体１に被さるように、支軸３によって基体１に支持されている。押圧体２の内部は、仕切り２１によって、２つの箱部分２２、２３に分けられている。箱部分２２は、素線把持部１１、１２とカッター１３とが入り込むように仕切られている。箱部分２２には、基体１に向かって凸状に湾曲した圧力吸収板２４が取り付けられている。圧力吸収板２４は、湾曲した硬質の板の外側つまり基体１側の曲面（以下、外凸面という）に、弾性体を貼り付けた二重構造体である。この弾性体は、光ファイバ素線にカッター１３で傷を付けるときに、傷が入り過ぎないように、カッター１３の刃の圧力を吸収する。
【００１４】
箱部分２３の内部には、収納部２３Ａが設けられている。収納部２３Ａは、光ファイバ素線を切断したときに発生する光ファイバ屑を収納する。押圧体２の一方の側板２Ａと仕切り２１とに、光ファイバ挿入口２Ａ１、２１Ａが開けられている。光ファイバ挿入口２Ａ１、２１Ａは、切断する光ファイバ素線を通すためのものである。また、押圧体２の他方の側板２Ｂには、取り出し口２Ｂ１が開けられている。取り出し口２Ｂ１は、収納部２３Ａに収納されている光ファイバ屑を取り出すためのものである。
【００１５】
以上が本実施形態によるＵＶ被覆付き光ファイバ素線の切断工具の構成である。このＵＶ被覆付き光ファイバ素線の切断工具は、主に宅内に光ファイバケーブルを配線する際に生じる接続工程で使用される。図３に示すように、押圧体２の光ファイバ挿入口２Ａ１と光ファイバ挿入口２１Ａとに光ファイバ素線１０１を通す。
【００１６】
この後、作業者が基体１と押圧体２とを手に持って握ると、図４に示すように、素線把持部１１、１３と圧力吸収板２４とにより、光ファイバ素線１０１に曲げ力を与える。同時に、光ファイバ素線１０１の長手方向と直角の方向から、基体１に設けられた鋭利なカッター１３が、光ファイバ素線１０１のＵＶ被覆や一次被覆とクラッドとに微細な傷を付ける。このとき、圧力吸収板２４の外凸面に設けられた弾性体は、光ファイバ素線１０１に傷が入り過ぎないように、カッター１３の刃の圧力を吸収する。
【００１７】
光ファイバ素線１０１は、図５に示すように、素線把持部１１、１３と圧力吸収板２４とで凸状に湾曲し、かつ、湾曲の外側に傷がある。この結果、曲げによる引張り力により、光ファイバ素線１０１が傷から切断される。
【００１８】
この後、光ファイバ素線１０１の切断によって発生した光ファイバ屑１０１Ａが収納部２３Ａに入り、光ファイバ屑１０１Ａは、取り出し口２Ｂ１から後で取り出される。
【００１９】
こうして、本実施形態により、住宅内に光ファイバケーブルを配線する際に生じる接続工程で、光ファイバ素線１０１をＵＶ被覆付の状態で切断し、かつ、圧力吸収板２４により、カッター１３の刃の圧力を吸収する。この結果、光ファイバ素線１０１のクラッドの表面だけカッター１３で傷が付き、光ファイバ素線１０１の切断面が破損することなく、光ファイバ素線１０１を切断することができる。さらに、破損が発生していない切断面の状態で、光ファイバ素線１０１を接続することができる。このことから、簡単かつ安全に作業が行うことができる。
［実施形態２］
【００２０】
本実施形態によるＵＶ被覆付き光ファイバ素線の切断工具を図６に示す。なお、本実施形態では、先に説明した図１、２のＵＶ被覆付き光ファイバ素線の切断工具と同一もしくは同一と見なされる構成要素には、それと同じ参照符号を付けて、その説明を省略する。
【００２１】
本実施形態では、カッター１３の端に、かつ、基体１の内部に、圧力手段としてバネ１４が設けられている。カッター１３は、押圧体２の方向またはその逆方向に移動可能に、押圧体２に保持されている。バネ１４は、光ファイバ素線１０１にカッター１３による傷が入り過ぎないように、カッター１３の刃の圧力を可変にする。
【００２２】
また、本実施形態では、実施形態１の圧力吸収板２４の代わりに、曲げ板２５が用いられている。曲げ板２５は、カッター１３の押す力では変形しない、硬質の合成樹脂等で作られている。
【００２３】
以上が本実施形態によるＵＶ被覆付き光ファイバ素線の切断工具の構成である。このＵＶ被覆付き光ファイバ素線の切断工具は、主に住宅内に光ファイバケーブルを配線する際に生じる接続工程で使用される。図７に示すように、押圧体２の光ファイバ挿入口２Ａ１と光ファイバ挿入口２１Ａとに光ファイバ素線１０１を通す。
【００２４】
この後、作業者が基体１と押圧体２とを手に持って握ると、図８に示すように、光ファイバ素線１０１の長手方向と直角の方向から、基体１に設けられた鋭利なカッター１３が、光ファイバ素線１０１のＵＶ被覆や一次被覆とクラッドとに微細な傷を付ける。このとき、基体１と押圧体２との接近により、光ファイバ素線１０１がカッター１３と接触し、さらに、バネ１４は、光ファイバ素線１０１に傷が入り過ぎないように、カッター１３の刃の圧力を調整する。同時に、素線把持部１１、１３と曲げ板２５とにより、光ファイバ素線１０１に曲げ力を与える。
【００２５】
光ファイバ素線１０１は、凸状に湾曲し、かつ、湾曲の外側に傷がある。この結果、曲げによる引張り力により、傷から光ファイバ素線１０１が切断される。
【００２６】
この後、光ファイバ素線１０１の切断によって発生する光ファイバ屑１０１Ａが収納部２３Ａに入り、光ファイバ屑１０１Ａは、取り出し口２Ｂ１から後で取り出される。
【００２７】
こうして、本実施形態により、住宅内に光ファイバケーブルを配線する際に生じる接続工程で、光ファイバ素線１０１をＵＶ被覆付の状態で切断し、かつ、バネ１４により、光ファイバ素線１０１のクラッドの表面だけカッター１３で傷が付くので、切断面に破損が発生しない。その切断面の状態で光ファイバ素線１０１を接続することができる。このことから、簡単かつ安全に作業が行うことができる。
【００２８】
以上、本発明の実施形態を詳述してきたが、具体的な構成は本実施形態に限られるものではなく、本発明の要旨を逸脱しない範囲の設計の変更等があっても、本発明に含まれる。たとえば、実施形態２のバネ１４がコイル状であったが、バネ１４の形状はこれに限定されない。また、バネ１４の代わりに、弾性体のような弾力のあるものを用いてもよい。
【図面の簡単な説明】
【００２９】
【図１】実施形態１によるＵＶ被覆付き光ファイバ素線の切断工具の外観を示す斜視図である。
【図２】図１の内部構造を説明するための断面図である。
【図３】実施形態１による光ファイバ素線の切断を説明する説明図である。
【図４】実施形態１による光ファイバ素線の切断を説明する説明図である。
【図５】実施形態１による光ファイバ素線の切断を説明する説明図である。
【図６】実施形態２によるＵＶ被覆付き光ファイバ素線の切断工具の内部構造を説明するための断面図である。
【図７】実施形態２による光ファイバ素線の切断を説明する説明図である。
【図８】実施形態２による光ファイバ素線の切断を説明する説明図である。
【符号の説明】
【００３０】
１  基体
１１、１２  素線把持部
１３  カッター
１４  バネ
２  押圧体
２Ａ  側板
２Ａ１  光ファイバ挿入口
２Ｂ１  取り出し口
２１  仕切り
２１Ａ  光ファイバ挿入口
２２、２３  箱部分
２３Ａ  収納部
２４  圧力吸収板
２５  曲げ板
３  支軸
１０１  光ファイバ素線
１０１Ａ  光ファイバ屑
【図１】
2005031565.tif 000003
【図２】
2005031565.tif 000004
【図３】
2005031565.tif 000005
【図４】
2005031565.tif 000006
【図５】
2005031565.tif 000007
【図６】
2005031565.tif 000008
【図７】
2005031565.tif 000009
【図８】
2005031565.tif 000010